(57)【特許請求の範囲】
【請求項１】
列車の車内または車外を監視するために配置された監視カメラと、該監視カメラで撮像された監視映像を記録する映像記録装置と、監視映像のライブ映像又は録画した監視映像を表示する映像表示装置と、列車の車輌情報を保有する全車輌管理システムと、該全車輌管理システムから必要な情報を受取る車輌情報制御装置と、前記車輌情報制御装置、並びに、監視機器である前記監視カメラ、前記映像表示装置、および前記映像記録装置をネットワーク接続する接続装置とを備えた列車監視システムにおいて、
前記車輌情報制御装置は、前記監視機器である前記監視カメラ、前記映像表示装置、および前記映像記録装置、並びに前記接続装置、それぞれに、第１の時間間隔で動作確認信号を送信し、送信された該動作確認信号に応答してそれぞれの前記監視機器である前記監視カメラ、前記映像表示装置、および前記映像記録装置、並びに前記接続装置から正常信号が送信されたか否かを確認し、該正常信号を受信しなかった場合には、前記第１の時間間隔で再度動作確認信号を送信し、動作確認信号を送信した回数が所定の回数に達しても正常信号を受信しなかった場合には、当該監視機器に障害が発生したと判定し、当該障害が発生したと判定した監視機器への動作確認信号の送信を第２の時間停止し、該第２の時間経過後には当該監視機器に再度前記動作確認信号を送信することを特徴とする列車監視システム。
【請求項２】
前記車輌情報制御装置は、前記監視機器のいずれかに障害が発生したと判断した場合に、当該監視機器に関する情報を前記映像表示装置へ送信し、前記映像表示装置は、障害が発生したと判断された前記監視機器に関する情報を表示することを特徴とする請求項１に記載の列車監視システム。
【請求項３】
前記第２の時間は、前記第１の時間間隔の少なくとも２倍の時間であることを特徴とする請求項１または請求項２に記載の列車監視システム。
【請求項４】
列車の車内または車外を監視するために配置された監視カメラと、該監視カメラで撮像された監視映像を記録する映像記録装置と、監視映像のライブ映像又は録画した監視映像を表示する映像表示装置と、列車の車輌情報を保有する全車輌管理システムと、該全車輌管理システムから必要な情報を受取る車輌情報制御装置と、前記車輌情報制御装置、並びに、監視機器である前記監視カメラ、前記映像表示装置、および前記映像記録装置をネットワーク接続する接続装置とを備えた列車監視システムにおいて、
前記車輌情報制御装置は、前記監視機器である前記監視カメラ、前記映像表示装置、および前記映像記録装置、並びに前記接続装置、それぞれに、第１の時間間隔で動作確認信号を送信し、送信された該動作確認信号に応答してそれぞれの前記監視機器である前記監視カメラ、前記映像表示装置、および前記映像記録装置、並びに前記接続装置から正常信号が送信されたか否かを確認し、該正常信号を受信しなかった場合には、前記第１の時間間隔で再度動作確認信号を送信し、動作確認信号を送信した回数が所定の回数に達しても正常信号を受信しなかった場合には、当該監視機器に障害が発生したと判定し、当該障害が発生したと判定した監視機器への動作確認信号の送信を第２の時間停止し、該第２の時間経過後には当該監視機器に再度前記動作確認信号を送信することを特徴とする列車監視方法。
【請求項５】
前記車輌情報制御装置は、前記監視機器のいずれかに障害が発生したと判断した場合に、当該監視機器に関する情報を前記映像表示装置へ送信し、前記映像表示装置は、障害が発生したと判断された前記監視機器に関する情報を表示することを特徴とする請求項４に記載の列車監視方法。
【請求項６】
前記第２の所定時間は、前記第１の時間間隔の少なくとも２倍の時間であることを特徴とする請求項４または請求項５に記載の列車監視方法。
【発明の詳細な説明】
【技術分野】
【０００１】
本発明は、鉄道車輌における車内・車外の防犯、保安、乗客の安全を目的とした映像による監視システムに関わり、特に、監視システムとして取付けられた機器の動作状態を監視し、発生した故障や不具合等の障害の発生情報を提供し、復旧可能かどうかを判断する列車監視システムの状態検知に関するものである。
【背景技術】
【０００２】
従来から、列車監視システムは、列車内外の映像監視用として構築され、設置運用されることが多い（特許文献１参照。）。列車監視システムは、全車両を管理するシステムであり、車輌に関する情報を有している。しかし、従来の列車監視システムでは、それらの保有する情報を積極的に活用して、監視機器を制御する機能を備えていない。
【先行技術文献】
【特許文献】
【０００３】
【特許文献１】特開２００９−２７３００９号公報
【特許文献２】特開２００２−１４１９２０号公報
【発明の概要】
【発明が解決しようとする課題】
【０００４】
従来の列車監視システムでは、故障や不具合等の障害が発生した場合に、問題箇所の映像表示や、ログ記録（どこの機器がいつダウンしたか）等の情報については、ローカルでしか情報共有できない。全ての障害の発生を、把握できるような列車監視システムを構築するためには、列車監視システムと個々の監視機器の間に仲介する制御装置が必要である。またさらに、従来の列車監視システムにおいては、障害が発生した場合であっても、障害が発生した監視機器に対しても継続して監視を行うシステムであり、システム全体の機能が劣化し、場合によっては列車監視システムがダウンする。この結果、列車監視システムの信頼性が低下する。
特許文献１は、複数の列車およびそれらの個々の列車監視システムを、それらが連結された時に接続して、１つの列車監視システムとして統合管理している。しかし、連結された列車同士の列車監視システムであっても、上述のように、障害が発生した場合に、問題箇所の映像表示や、ログ記録（どこの機器がいつダウンしたか）等の情報については、ローカルでしか情報共有できない。
また、特許文献２には、ネットワークに接続されたノードに向けてポーリングを繰り返し、所定のリトライ回数繰り返しても応答がない場合に異常と判定することや、異常と判定した場合には、一次的にシステムから切断するノード監視システムが開示されている。しかし、列車監視システムではなく、複数のシステムを統合した管理についての開示はされていない。
本発明の目的は、上記のような問題に鑑み、障害が発生した場合に、全ての障害の発生を把握できるような列車監視システムを提供することにある。またさらに、システムの信頼性が向上する列車監視システムを提供することにある。
【課題を解決するための手段】
【０００５】
本発明は、上記の目的を達成するために、本発明の列車監視システムにおいて、全車両管理システムと各監視機器とを備えた列車監視システムでは、全車両管理システムと監視機器との間に、各監視機器の状態検知を行う車輌情報制御装置を備えるものである。
【０００６】
即ち、本発明の列車監視システムは、列車を車内監視および車外監視するために配置された監視カメラと、該監視カメラで撮像された監視映像を記録する映像記録装置と、監視映像のライブ映像又は録画した監視映像を表示する映像表示装置と、列車の車輌情報を保有する全車輌管理システムと、該全車輌管理システムから必要な情報を受取る車輌情報制御装置と、前記車輌情報制御装置、並びに、監視機器である前記監視カメラ、前記映像表示装置、および前記映像記録装置をＬＡＮ接続するスイッチングハブとを備えた列車監視システムにおいて、前記車輌情報制御装置は、前記監視機器である前記監視カメラ、前記映像表示装置、および前記映像記録装置、並びに前記スイッチングハブ、それぞれに、所定の第１の時間間隔で動作確認信号を送信し、送信された該動作確認信号に応答してそれぞれの前記監視機器である前記監視カメラ、前記映像表示装置、および前記映像記録装置、並びに前記スイッチングハブから正常信号が送信されたか否かを確認し、所定の第１の時間が経過しても該正常信号を受信しなかった場合には、所定の第２の時間間隔で再度リトライし、リトライ回数が所定の回数に達しても正常信号を受信しなかった場合には、当該監視機器に障害が発生したと判定し、当該障害が発生したと判定した監視機器への動作確認信号の送信を所定の第２の時間停止するものである。
【０００７】
また、上記本発明の列車監視システムにおいて、前記車輌情報制御装置は、前記監視機器に障害が発生したと判定した場合に、さらに、前記全車輌管理システムに故障情報を通知する異常発生信号を送信するものである。
【発明の効果】
【０００８】
本発明により、車輌情報制御装置を仲介させることで、問題箇所を適切に情報展開し、故障または不具合等の障害の発生した監視機器と車輌情報制御装置との通信回線を調整し、列車監視システムおよびその全車両管理システムの負荷上昇を抑制させることができる。この結果、監視機器に障害が発生した場合でも、信頼性を維持することが可能となる。
しかも、システム全体の信頼性維持のための機能低下といった手段は用いられていないことが多い。
【図面の簡単な説明】
【０００９】
【図１】本発明の列車監視システムの一実施例の構成を示すブロック図である。
【図２】本発明の列車監視システムの一実施例において、映像記録装置が故障（障害が発生）した時の信号経路について説明するための模式図である。
【図３】本発明の列車監視システムの一実施例において、映像記録装置が故障（障害が発生）した時の情報の流れについて説明するためのタイムチャートである。
【図４】障害が発生した時の映像表示装置３ａ〜３ｄの表示画面の一実施例を示す模式図である。
【図５】障害が発生した時の映像表示装置３ａ〜３ｄの表示画面の一実施例を示す模式図である。
【発明を実施するための形態】
【００１０】
本発明の列車監視システムの一実施例を図１によって説明する。図１は、本発明の列車監視システムの一実施例の構成を示すブロック図である。８は本発明の列車監視システムを設置する列車、８ａは先頭車輌（（ｍ）は先頭車輌側から始まる車輌である。８ｂは先頭車輌からｎ−１番目の車輌、８ｄは後方車輌（（ｍ＋Ｎ）車輌）、８ｃは後方車輌８ｄから２番目の車輌である。ここで、ｍはあらかじめ固定した自然数（例えば、ｍ＝１）で、ｎは１から始まる自然数、Ｎはｎの最大値でＮは列車の最大車輌数−１である。また、１ａ、１ｂ、１ｃ、および１ｄは監視カメラ（ＳＣ）、２ａ、２ｂ、２ｃ、および２ｄはスイッチングハブ（ＳＷＨ）、３ａおよび３ｄは映像表示装置（ＮＭ）、４ａ、４ｂ、４ｃ、および４ｄは映像記録装置（ＩＲ）、５ａおよび５ｄは車輌情報制御装置（ＳＰＣ）、６ａ、６ｂ、６ｃ、および６ｄは電源装置（ＰＷ）、７ａおよび７ｄは全車両管理システム（ＴＭＳ）である。
なお、本書では、上記監視機器とは、上記監視カメラ１ａ〜１ｄ、スイッチィングハブ２ａ〜２ｄ、映像表示装置３ａおよび３ｄ、映像記録装置４ａ〜４ｄ、並びに、車輌情報制御装置５ａおよび５ｄを総称して、監視機器と称する。
【００１１】
列車の先頭車両の（ｍ）号車８ａには、監視カメラ１ａ、スイッチィングハブ２ａ、映像表示装置３ａ、映像記録装置４ａ、車輌情報制御装置５ａ、電源装置６ａ、および全車両管理システム７ａが設置されている。また、最後尾車両の（ｍ＋Ｎ）号車には、監視カメラ１ｄ、スイッチィングハブ２ｄ、映像表示装置３ｄ、映像記録装置４ｄ、システム制御装置５ｄ、電源装置６ｄ、および全車両管理システム７ｄが設置されている。
（ｍ＋ｎ）号車には３台の監視カメラ１ｂ、スイッチングハブ２ｂ、映像記録装置４ｂ、および電源装置６ｂが設置され、（ｍ＋Ｎ−１）号車には３台の監視カメラ１ｃ、スイッチングハブ２ｃ、映像記録装置４ｃ、および電源装置６ｃが設置される。
このように、先頭および最後尾の車両には、映像表示装置１ａ又は１ｄ、車輌情報制御装置５ａ又は５ｄ、および全車両管理システム７ａ又は７ｄが設置される。
【００１２】
列車の車外および車内監視を行う各車輌には、各監視機器の電源を供給する電源装置（ＰＷ）、監視映像を記録する映像記録装置（ＩＲ）、車内および車外の映像を撮像する監視カメラ（ＳＣ）、各監視機器の通信を行うスイッチングＨＵＢ（ＳＷＨ）が設置される。さらに、先頭車輌及ぴ後方車輌には、専用に映像表示装置、車輌情報制御装置、全車輌管理システムが設置される。
【００１３】
なお、監視カメラ１ａ〜１ｄは、ＣＣＴＶカメラ、ネットワークカメラ等の種類は問わない。また、監視カメラ１ａ〜１ｄが撮像する監視場所も、先頭／後方車輌の前方映像、車内映像、車外／車内ドア開閉映像、運転室映像、車掌室映像等、目的により任意である。従って、図１では、先頭車両と後方車輌にしか監視カメラを設置していないが、目的に応じて、任意の車輌および場所に設置するものである。
【００１４】
図１において、各監視機器は、連結された列車８の個々の車輌８ａ〜８ｂに設置したスイッチングハブ２ａ〜２ｄにそれぞれ接続されており、各車輌８ａ〜８ｂのスイッチングハブ２ａ〜２ｄは、隣同士の車輌間でＬＡＮケーブル等の伝送線で接続されている。また、システム全体は、スイッチングハブ２ａ〜２ｄ経由でＬＡＮ接続されている。
【００１５】
次に、本発明の列車監視システムの全体の動作環境について説明する。
ＬＡＮ経由で通信された監視カメラ１ａ〜１ｄの映像は、先頭車輌８ａおよび後方車輌８ｄにある映像表示装置３ａおよび３ｄに表示される。映像表示装置３ａおよび３ｄは、通常、映像表示装置が設置されている当該車輌に設置されている監視カメラの映像をリアルタイム表示している。
しかし、ユーザが映像表示装置の映像切替ボタンを操作することによって、映像表示装置の表示画面に表示される表示画面数（画面分割数）を選択し、若しくは車輌の映像を選択することによって、所望の表示画面数および所望の車輌の映像に任意に切り替えることができる。
また、列車内に設置された警報ボタンが乗客や乗務員等のユーザによって押された場合、又は監視機器に故障や不具合等の障害が発生した場合には、異常状態と判定して、当該発生箇所の映像が映像表示装置に表示されるように、自動的に切替えられる。即ち、システム制御装置５ａは、当該列車が、運行に支障がある異常状態である判定した場合には、異常状況を車内へ通知するために映像表示装置３ａ〜３ｄの全てに、障害が発生した車輌の全体図（車輌全体図）を表示させる異常表示信号を送信し、車掌等が確認できるように異常発生箇所を、映像表示装置３ａ〜３ｄ全ての表示画面上に表示する。
【００１６】
映像記録装置４ａ〜４ｄは、各車輌ごとに入力された監視映像を録画する。その場合、監視カメラは常時撮像を行い、その監視映像を出力する。しかし、映像記録装置４ａ〜４ｄそれぞれは、例えば、車内の監視カメラの出力監視映像を常時録画し、車外の監視カメラの出力監視映像を列車が走行停止中又は走行速度が所定の値以下になった場合、および、急ブレーキ等がかけられ所定の加速度以上が加えられた場合のみ録画する。
【００１７】
先頭車輌と後方車輌に設置される車輌情報制御装置５ａと５ｄは、それぞれが備える車輌情報送受信インターフェースを介し、全車輌管理システム７ａ又は７ｄが保有する列車に関するあらゆる車輌情報を定期的に収集し、状況に応じて適切な通信データを送信してシステム制御を行う。
【００１８】
本発明の列車監視システムの一実施例における列車監視機器状態検知動作では、故障や不具合等の障害が発生する可能性のある監視機器に対して、リトライ動作による応答信号を送信する。そして、リトライを所定の回数（例えば、３回）実行しても監視機器からの応答がない場合には、当該監視機器を故障と判定して、一時的にシステムから切断するものである。
それにより列車監視システムに加えられる負荷を低減し、操作応答や通信速度の低下が生じないようにシステムの性能を維持させる。ただし、保守性を考慮し、障害が発生したと判定した監視機器に対しても、所定間隔（例えば、１分間に１回）で応答信号を送信し、復旧の可否を確認できるようにするものである。
【００１９】
故障や不具合等の障害の発生をリトライ動作によって判定するには、例えば、車輌情報制御装置と各監視機器間では、車輌情報制御装置側から所定時間間隔（例えば、１分間隔）で、動作確認信号の送信し、相手先の監視機器はその動作確認信号を受取ると正常信号（ＡＣＫ信号）を送信する。車輌情報制御装置は、当該監視機器から正常信号を受信することによって、当該監視機器が正常であると判定する。
また、車輌情報制御装置側から送信される動作確認信号を受信できない監視機器や受信しても所定時間以内に正常信号を返信（送信）できない監視機器について、車輌情報制御装置は、障害が発生している可能性があると判定する。
従って、車輌情報制御装置は、障害が発生している可能性がある監視機器に対して、動作確認信号を所定の時間間隔で繰り返し送信し、所定の回数送信しても、返信が無い場合には、動作確認信号の送信先の監視機器が故障や不具合等の障害発生状態であると判定する。
【００２０】
図２によって、本発明の列車監視システムの一実施例における列車監視機器状態検知動作の上記リトライ動作の信号経路について説明する。図２は、本発明の列車監視システムの一実施例において、映像記録装置４ａが故障（障害が発生）した時の信号経路について説明するための模式図である。
まず、車輌情報制御装置５ａは、スイッチングハブ２ａを介して映像表示装置３ａに動作確認信号を送信する（経路２１）。
次に、映像表示装置３ａは、受信した動作確認信号に対して、自監視機器が正常に稼働していることを知らせるＡＣＫ（Acknowledge）信号をスイッチングハブ２ａを介して車輌情報制御装置５ａすることになる。
しかし、映像表示装置３ａに障害が発生している時には、所定の時間内に、正常信号を返信（送信）できない（経路２２）。
従って、所定時間内に映像表示装置３ａから正常信号を受信できなかった車輌情報制御装置５ａは、再度所定時間間隔後に正常信号を受信しなかった監視機器（映像表示装置３ａ）にリトライする（即ち、再度動作確認信号を送信する。）。
そして、車輌情報制御装置５ａは、リトライの回数が所定回数以上実行され、かつ、所定時間内に映像表示装置３ａから正常信号を受信できない場合には、当該監視機器（映像表示装置３ａ）に障害が発生したと判定する。
【００２１】
監視機器のいずれかに障害が発生したと判定した車輌情報制御装置５ａは、次に、全車両管理システム７ａに対して、故障情報を通知する異常発生信号を送信する（経路２３）。全車両管理システム７ａは、障害が発生した箇所を特定し、障害の原因を排除し、当該障害が発生した監視機器を復旧させるために、受信した故障情報を運営会社に送信する。これによって、運営会社は、障害の発生と発生場所が分かり、迅速に復旧作業を開始することができる。
【００２２】
そして、車輌情報制御装置５ａは、スイッチングハブ２ａを介して、映像表示装置３ａに障害が発生した監視機器の位置を表示させるための異常表示信号を送信する。この異常表示信号は、列車監視システムに所属する全ての車輌の全ての映像表示装置に当該スイッチングハブを介して送信される（経路２４）。従って、全ての映像表示装置の表示画面が異常が発生した監視機器の位置を表示するように制御される。
なお、異常発生中であっても、ユーザが監視カメラ切替ボタンを押した場合は、異常（障害）が発生した監視機器の位置表示をやめ、通常のライブ映像に戻すことが可能である。
【００２３】
さらに、車輌情報制御装置５ａは、障害が発生したと判定した監視機器に対して動作確認信号の送信を所定の時間だけ停止する（経路２５）。この停止時間は、リトライする時間間隔よりも２倍以上大きい（例えば、１０倍、３０倍、等）。
障害の発生した場合には、障害発生した監視機器（例えば、映像表示装置）の負荷が増加し、動作確認信号を受信した時に、正常信号を送信することが可能としても操作応答が鈍くなるなり、所定の時間内で送信できなくなるかまたは長時間になる。この場合には、車輌情報制御装置５ａは、当該監視機器からの正常信号を受信するまでまたは、所定の時間経過するまで待機し、その後次の監視機器に動作確認信号を送信することになる。このため、列車監視システムにおける１周期の監視時間が多くなってしまい、効率性や信頼性が低下する。
しかし、本実施例によれば、障害が発生した監視機器について動作確認信号の送信を停止するため、監視時間の長時間化を防ぐことができる。
【００２４】
次に、図２と図３によって、本発明の監視システムの一実施例において、故障時の列車監視機器間で行われる一連の情報の流れ（情報信号の送受）について説明する。図３は、本発明の列車監視システムの一実施例において、映像記録装置が故障（障害が発生）した時の情報の流れについて説明するためのタイムチャートである。図３に記載している信号タイミングは、映像記録装置に関係しているものだけである。また図示しないが、情報の送受は、各監視機器に対して並列に処理している。
図３（ａ）は車輌情報制御装置５ａの送信信号、図３（ｂ）は映像記録装置４ａの送信信号、図３（ｃ）は映像表示装置３ａの送信信号、図３（ｄ）は全車輌管理システム７ａの送信信号である。横軸は、図３（ａ）〜（ｄ）に共通の時間である。また縦軸は、それぞれ信号がＨｉｇｈ（高）レベルかＬｏ（低）レベルかをパルス波形で示している。ここでは、信号がＨｉｇｈ（高）レベルの場合に、動作確認信号およびＡＣＫ信号が出力され、Ｌｏ（低）レベルの場合に、信号出力が無いとする。なお、受信状態については、送信信号は、各経路２１〜２５を通って、送信とほぼ同時に、必ず受信されるとし、特に図示していない。
【００２５】
図２および図３において、正常時（時間Ｔ１）には、車輌情報制御装置５ａと各監視機器（この例では、映像記録装置４ａ）間で、所定時間間隔（例えば、１分間隔）で信号のやり取り（動作確認信号とＡＣＫ信号の送受信）を行い、異常かどうか一定時間ごとに確認している（経路２１）。また、監視機器が全て正常動作している時間Ｔ１では、映像表示装置３ａは、監視カメラの監視映像をライブ映像として表示している。即ち、映像表示装置３ａは、車輌情報制御装置５ａから送信される異常表示信号を受信していない間、通常の監視映像をライブ映像として表示している。
【００２６】
次に、故障時において、まず故障判定中（時間Ｔ２）には、映像記録装置３ａが故障した場合には、まず車輌情報制御装置５ａから送信する動作確認信号に対して返答がない（ＡＣＫ信号が車輌情報制御装置５ａで受信できない：経路２２）状態になる。これに対して、車輌情報制御装置５ａは、所定回数だけリトライを繰り返し、所定回数に達しても映像記録装置３ａからの返答の正常信号（ＡＣＫ信号）を受信しなかった場合には、障害が発生したと判定する。
障害が発生したと判定した時には、車輌情報制御装置５ａは、故障情報（異常発生信号）を全車両管理システム７ａにいち早く送信する（経路２３）（時間Ｔ３）。
その後車輌情報制御装置５ａは、異常状況を車内に通知するために、映像表示装置３ａ（および３ｂ〜３ｄ）に、車輌全体図を表示させる異常表示信号を送信し（経路２４）（時間Ｔ４）、車掌等ユーザが確認できるように異常発生箇所を映像表示装置の表示画面上に表示するように制御する（時間Ｔ４、Ｔ５）。
【００２７】
さらに、車輌情報制御装置５ａは、障害が発生したと判定した監視機器（ここでは、映像記録装置４ａ）に対して、動作確認信号への送信を停止する（時間Ｔ５〜）。
以後、異常が解除される又は外部からの操作を受け付ける（時刻ｔ０）まで、車輌情報制御装置５ａは、映像表示装置３ａの表示画面に異常発生箇所を表示し続ける。
異常が解除されるとは、映像記録装置４ａが正常に動作できる状態となることであり、外部からの操作とは、例えば、映像表示装置３ａの監視カメラ切替ボタンを押した時である。
なお、図２によって説明したように、車輌情報制御装置５ａは、障害が発生したと判定した監視機器に対して動作確認信号の送信を所定の時間だけ停止する（監視を停止する）。そして、この停止時間経過後には、再度、開始を再開する。この動作確認信号の送信停止時間は、リトライする時間間隔よりも２倍以上大きい（例えば、１０倍、３０倍、等）。
【００２８】
図４は、障害が発生した時の映像表示装置３ａ〜３ｄの表示画面の一実施例を示す模式図である。４０は表示画面、４１は列車監視システムの監視機器を収容している筺体、４２は車外／車内ドア、４３は座席、４４は筺体４１内に収容された映像記録装置、４５は警報の表示、４８はＸ号車の車輌の模式的な外形である。
車輌全体図の画像は、ビューワとしてあらかじめ映像表示装置内にインストールしておき、映像表示装置は、障害発生時（異常表示信号受信時）に、ビューワを自動的に立ち上げ、車輌情報制御装置から送信された異常表示信号の異常情報に基づいて、異常箇所を表示する。図４の実施例では、映像記録装置４４に障害が発生したとして、当該映像記録装置４４が筺体４１内に表示される。かつ、表示画面４０内に、障害の情報をテキスト情報として表示する。テキスト情報は、例えば、障害が発生した車輌番号（Ｘ号車）、障害が発生したと判定した年月日（ＹＹＹＹ／ＭＭ／ＤＤ）、時刻（ｈｈ：ｍｍ）、コメント（異常発生）である。なお、これらの障害が発生した機器の表示およびテキスト情報の表示を他の表示と区別できるように、強調表示するようにしても良い（例えば、他の表示の色より、目立つ色で表示する）。例えば、他の表示を黒色又は灰色で、障害に関係する機器の表示およびテキスト情報の表示を赤色とするようにする。あるいはさらに、点滅させるようにしても良い。
【００２９】
また、図４において、他の警報ボタンが押下された時、例えば、連続して他の警報ボタン等が押されて、障害発生が複数同時発生した場合には、後に発生した異常を優先させて表示する。
【００３０】
なお、図５に示すように、表示画面５０に、列車監視システムを構成する列車全体図５１を表示し、障害が発生した車輌に相当する障害発生車輌部分５２を強調表示し、障害が発生した車輌が、列車全体のどこなのかが、視覚的にわかるようにしても良い。
この結果、障害（監視機器の異常、警報ボタンによる異常）が発生した場合に、列車全体を構成する図が表示画面に表示され、かつ、障害が発生した車輌がどの（何号車）車輌であるかを、ユーザは、一目で、迅速に、簡単に、目視できる。
【００３１】
上記実施例によれば、車輌情報制御装置を仲介させることで、問題箇所を適切に情報展開し、故障または不具合等の障害の発生した監視機器と車輌情報制御装置との通信回線を調整し、列車監視システムおよびその全車両管理システムの負荷上昇を抑制させることができる。この結果、監視機器に障害が発生した場合でも、信頼性を維持することが可能となる。
さらに、上記実施例の列車監視システムによれば、障害が発生した場合には、障害が発生した監視機器の監視を停止するため、列車監視システムの信頼性が向上する。またさらに、障害が発生した監視機器について、監視を停止後から所定の時間経過後、自動的に、再度監視を開始するため、障害が発生した監視機器が復帰していた場合に迅速に監視を再開することができるため、さらに列車監視システムの信頼性が向上する。
【符号の説明】
【００３２】
１ａ、１ｂ、１ｃ、１ｄ：監視カメラ（ＳＣ）、  ２ａ、２ｂ、２ｃ、２ｄ：スイッチングハブ（ＳＷＨ）、  ３ａ、３ｄ：映像表示装置（ＮＭ）、  ４ａ、４ｂ、４ｃ、４ｄ：映像記録装置（ＩＲ）、  ５ａ、５ｄ：車輌情報制御装置（ＳＰＣ）、  ６ａ、６ｂ、６ｃ、６ｄ：電源装置（ＰＷ）、  ７ａ、７ｄ：全車両管理システム（ＴＭＳ）、  ８：列車、  ８ａ：先頭車輌、  ８ｂ：先頭車輌からｎ−１番目の車輌、  ８ｃ：後方車輌から２番目の車輌、  ８ｄ：後方車輌、  ４０：表示画面、  ４１：筺体、  ４２：車外／車内ドア、  ４３：座席、  ４４：映像記録装置、  ４５：表示、  ４８：外形、  ５０：表示画面、  ５１：列車全体図、  ５２：障害発生車輌部分。
【図１】
0005634848.tif 000002
【図２】
0005634848.tif 000003
【図３】
0005634848.tif 000004
【図４】
0005634848.tif 000005
【図５】
0005634848.tif 000006